(57)【要約】【課題】色再現性を向上できかつデータ線を効率よく配置できる電気光学装置および電子機器を提供すること。【解決手段】電気光学装置および電子機器は、複数の走査線１１と複数のデータ線１２との交差に対応して設けられた複数の画素と、当該画素に対応して設けられた複数のカラーフィルタとを有する。カラーフィルタは、２種類のカラーフィルタからなる第１フィルタ群６１と、この２種類のカラーフィルタより面積の小さい２種類のカラーフィルタからなる第２フィルタ群６２と、で構成される。データ線は、第１フィルタ群６１を構成する２種類のカラーフィルタの間に配置される第１フィルタ用データ線１２１と、第２フィルタ群６２を構成する２種類のカラーフィルタの間に配置される第２フィルタ用データ線１２２と、を含む。【選択図】図３
2007017928.tif 000002
【特許請求の範囲】
【請求項１】
複数の走査線と複数のデータ線との交差に対応して設けられた複数の画素と、当該画素に対応して設けられた複数のカラーフィルタと、を有する電気光学装置において、
前記カラーフィルタは、２種類のカラーフィルタからなる第１フィルタ群と、前記２種類のカラーフィルタより面積の小さい２種類のカラーフィルタからなる第２フィルタ群と、で構成され、
前記データ線は、前記第１フィルタ群を構成する２種類のカラーフィルタの間に配置される第１フィルタ用データ線と、前記第２フィルタ群を構成する２種類のカラーフィルタの間に配置される第２フィルタ用データ線と、を含むことを特徴とする電気光学装置。
【請求項２】
請求項１に記載の電気光学装置において、
前記第１フィルタ用データ線は、それぞれ、前記画素のうち前記第１フィルタ用データ線の両側にあるものに画像信号を供給し、前記第２フィルタ用データ線は、それぞれ、前記画素のうち前記第２フィルタ用データ線の両側にあるものに画像信号を供給することを特徴とする電気光学装置。
【請求項３】
請求項１または２に記載の電気光学装置において、
前記第１フィルタ群を構成するカラーフィルタは、赤色および青色のカラーフィルタであり、
前記第２フィルタ群を構成するカラーフィルタは、緑色およびシアン色のカラーフィルタであることを特徴とする電気光学装置。
【請求項４】
請求項１または２に記載の電気光学装置において、
前記第１フィルタ群を構成するカラーフィルタは、赤色および青色のカラーフィルタであり、
前記第２フィルタ群を構成するカラーフィルタは、緑色および白色のカラーフィルタであることを特徴とする電気光学装置。
【請求項５】
複数の走査線と複数のデータ線との交差に対応して設けられた複数の画素に対応して設けられたカラーフィルタを有する電気光学装置において、
前記カラーフィルタは、２種類のカラーフィルタからなる第１フィルタ群と、前記２種類のカラーフィルタより面積の小さい２種類のカラーフィルタからなる第２フィルタ群と、を備え、
前記データ線は、前記第１フィルタ群を構成する２種類のカラーフィルタの間に配置される第１フィルタ用データ線と、前記第２フィルタ群を構成する２種類のカラーフィルタの間に配置される第２フィルタ用データ線と、
を含むことを特徴とする電気光学装置。
【請求項６】
請求項５に記載の電気光学装置において、
前記第１フィルタ群を構成するカラーフィルタは、赤系の色相の着色領域および青系の色相の着色領域を有するカラーフィルタであり、
前記第２フィルタ群を構成するカラーフィルタは、青から黄までの色相の中で選択された２種の色相の着色領域を有するカラーフィルタであることを特徴とする電気光学装置。
【請求項７】
請求項１乃至６のいずれか１項に記載の電気光学装置において、
前記第２フィルタ群のカラーフィルタは、同一の面積であることを特徴とする電気光学装置。
【請求項８】
請求項１乃至７のいずれか１項に記載の電気光学装置を備えたことを特徴とする電子機器。
【発明の詳細な説明】
【技術分野】
【０００１】
本発明は、例えば、電気光学装置および電子機器に関する。
【背景技術】
【０００２】
従来より、画像を表示する液晶表示装置などの電気光学装置が知られている。この電気光学装置は、例えば、バックライト、複数の走査線、複数のデータ線、これら走査線およびデータ線の交差に対応して設けられた複数の画素、ならびに、各画素に対応する画素回路を有する第１の基板と、この第１の基板に対向して設けられた第２の基板と、第１の基板と第２の基板との間に設けられバックライトからの光を制御する液晶と、を備える。
ここで、第２の基板の第１基板側には、各画素回路を有する画素が複数配列されて構成された表示領域が形成されている。また、各画素は、それぞれ赤（Ｒ）、緑（Ｇ）、青（Ｂ）のカラーフィルタのうちいずれかを有している。
【０００３】
上述の電気光学装置によれば、バックライトから光が射出されると、この光は、画素回路で制御された液晶シャッタを通過した後、表示領域全面に照射される。表示領域の各画素に入射した光は、カラーフィルタを通過して射出される。
【特許文献１】特開平８−８４３４７号公報
【発明の開示】
【発明が解決しようとする課題】
【０００４】
ところで、近年、電気光学装置の色再現性の向上が要請されている。しかしながら、色再現性を向上させるため、カラーフィルタの種類を増加しようとすると、データ線の本数も増加するため、データ線の配置が問題となる。
【０００５】
本発明は、色再現性を向上できかつデータ線を効率よく配置できる電気光学装置および電子機器を提供することを目的とする。
【課題を解決するための手段】
【０００６】
本発明の電気光学装置は、複数の走査線と複数のデータ線との交差に対応して設けられた複数の画素と、当該画素に対応して設けられた複数のカラーフィルタと、を有し、前記カラーフィルタは、２種類のカラーフィルタからなる第１フィルタ群と、前記２種類のカラーフィルタより面積の小さい２種類のカラーフィルタからなる第２フィルタ群と、で構成され、前記データ線は、前記第１フィルタ群を構成する２種類のカラーフィルタの間に配置される第１フィルタ用データ線と、前記第２フィルタ群を構成する２種類のカラーフィルタの間に配置される第２フィルタ用データ線と、を含むことを特徴とする。
【０００７】
ところで、上述の特許文献１では、色再現性を向上させるため、各カラーフィルタの面積を増減させることが提案されている。
本発明によれば、カラーフィルタを、２種類のカラーフィルタからなる第１フィルタ群と、前記２種類のカラーフィルタより面積の小さい第２フィルタ群と、で構成し、データ線の一部を、第１フィルタ群を構成するカラーフィルタの間に配置し、残りのデータ線を、第２フィルタ群を構成するカラーフィルタの間に配置した。つまり、２種類のカラーフィルタの面積を削減して、この削減した領域にデータ線を配置した。これにより、カラーフィルタの種類を増加して、色再現性を向上できるとともに、効率よくデータ線を配置できる。
【０００８】
本発明の電気光学装置では、前記第１フィルタ用データ線は、それぞれ、前記画素のうち前記第１フィルタ用データ線の両側にあるものに画像信号を供給し、前記第２フィルタ用データ線は、それぞれ、前記画素のうち前記第２フィルタ用データ線の両側にあるものに画像信号を供給することが好ましい。
【０００９】
従来では、カラーフィルタの種類を増加しようとすると、この増加したカラーフィルタに対応して、データ線も増加する必要があった。そのため、基板の実装が過密になっていた。
そこで、この発明によれば、データ線の一部から画素のうち第１フィルタ群に対応するものに画像信号を供給し、残りのデータ線から画素のうち第２フィルタ群に対応するものに画像信号を供給した。
したがって、１本のデータ線で２つの画素に画像信号を供給するので、従来のように１本のデータ線で１つの画素に画像信号を供給する場合に比べて、データ線の本数を削減できる。その結果、基板の実装の高密度化を防止できる。
【００１０】
本発明の電気光学装置では、前記第１フィルタ群を構成するカラーフィルタは、赤色および青色のカラーフィルタであり、前記第２フィルタ群を構成するカラーフィルタは、緑色およびシアン色のカラーフィルタであることが好ましい。
【００１１】
この発明によれば、緑色およびシアン色のカラーフィルタの面積を、赤色および青色のカラーフィルタの面積より小さく設けても色再現性を向上できる。
【００１２】
本発明の電気光学装置では、前記第１フィルタ群を構成するカラーフィルタは、赤色および青色のカラーフィルタであり、前記第２フィルタ群を構成するカラーフィルタは、緑色および白色のカラーフィルタであることが好ましい。
【００１３】
この発明によれば、赤色、青色、および緑色のカラーフィルタに加えて、白色のカラーフィルタを設けた。これにより、画素における輝度を向上できる。
【００１４】
本発明の電気光学装置では、前記第２フィルタ群のカラーフィルタは、同一の面積であることが好ましい。
【００１５】
本発明の電子機器は、上述した電気光学装置を備えたことを特徴とする。
この発明によれば、上述した効果と同様の効果がある。
【発明の効果】
【００１６】
カラーフィルタを、２種類のカラーフィルタからなる第１フィルタ群と、前記２種類のカラーフィルタより面積の小さい第２フィルタ群と、で構成し、データ線の一部を、第１フィルタ群を構成するカラーフィルタの間に配置し、残りのデータ線を、第２フィルタ群を構成するカラーフィルタの間に配置した。つまり、２種類のカラーフィルタの面積を削減して、この削減した領域にデータ線を配置した。これにより、カラーフィルタの種類を増加して、色再現性を向上できるとともに、効率よくデータ線を配置できる。
【発明を実施するための最良の形態】
【００１７】
＜１．第１実施形態＞
図１は、本発明の第１実施形態に係る電気光学装置１の構成を示すブロック図である。
電気光学装置１は、液晶パネルＡＡと、この液晶パネルＡＡに電源を供給する電源回路２と、液晶パネルＡＡに画像信号を供給する画像処理回路３と、この画像処理回路３や液晶パネルＡＡにクロック信号やスタート信号を出力するタイミング発生回路４と、を備える。
【００１８】
電源回路２は、駆動信号ＶＤＤＹ、ＶＳＳＹ、ＶＨＨＹ、ＶＬＬＹ、ＶＤＤＸ、ＶＳＳＸ、ＶＨＨＸ、ＶＬＬＸを液晶パネルＡＡに供給する。
【００１９】
画像処理回路３は、入力画像データＤに、液晶パネルの光透過特性を考慮したγ補正を施した後、ＲＧＢＣ各色の画像データをＤ／Ａ変換して、画像信号４０Ｒ、４０Ｂ、４０Ｇ、４０Ｃを生成して液晶パネルＡＡに供給する。
【００２０】
タイミング発生回路４は、画像処理回路３に入力される入力画像データＤに同期して、Ｙクロック信号ＹＣＫ、反転Ｙクロック信号ＹＣＫＢ、Ｘクロック信号ＸＣＫ、反転Ｘクロック信号ＸＣＫＢ、Ｙ転送開始信号ＤＹ、Ｘ転送開始信号ＤＸを生成する。
タイミング発生回路４は、これらの信号のうち、Ｙ転送開始信号ＤＹ、Ｙクロック信号ＹＣＫ、反転Ｙクロック信号ＹＣＫＢを、液晶パネルＡＡの走査線駆動回路２０に供給し、Ｘ転送開始信号ＤＸ、Ｘクロック信号ＸＣＫ、反転Ｘクロック信号ＸＣＫＢを、液晶パネルＡＡのデータ線駆動回路３０に供給する。さらに、タイミング発生回路４は、各種のタイミング信号を生成して、画像処理回路３に出力する。
【００２１】
液晶パネルＡＡは、薄膜トランジスタ（以下、ＴＦＴと称する）がマトリクス状に配置された素子基板と、この素子基板に対向して設けられた対向基板と、素子基板と対向基板との間に設けられた液晶とから構成されている。
液晶パネルＡＡの素子基板上には、画素マトリクス１０、走査線駆動回路２０、データ線駆動回路３０が形成される。
【００２２】
画素マトリクス１０には、所定間隔おきに設けられた複数の走査線１１と、これら走査線１１に交差するように所定間隔おきに設けられたデータ線１２とが形成される。各走査線１１と各データ線１２との交差部分に対応して画素が設けられており、各画素は、ＴＦＴ、画素電極、蓄積容量で構成された後述の画素回路６０を有している。
【００２３】
なお、対向基板の素子基板側には、複数の画素が配列されて構成された表示領域２２が形成されている。各画素は、それぞれ、赤（Ｒ）、緑（Ｇ）、青（Ｂ）、シアン（Ｃ）のカラーフィルタのうちいずれかを有している。
【００２４】
走査線駆動回路２０は、画素マトリクス１０の各走査線１１を駆動し、データ線駆動回路３０は、画素マトリクス１０の各データ線１２を駆動する。
具体的には、走査線駆動回路２０は、Ｙクロック信号ＹＣＫおよび反転Ｙクロック信号ＹＣＫＢに同期して、Ｙ転送開始信号ＤＹを順次転送することで、走査信号を各走査線１１に対してパルス的に線順次で印加する。したがって、ある走査線１１に走査信号を印加すると、この走査線１１に係る画素に走査信号が供給される。すなわち、この画素に対応する画素回路に走査信号が供給され、この画素回路に設けられたＴＦＴがオンになり、この走査線１１に係る画素が全て選択されることになる。
また、データ線駆動回路３０は、Ｘクロック信号ＸＣＫおよび反転Ｘクロック信号ＸＣＫＢに同期して、Ｘ転送開始信号ＤＸを順次転送する。これにより、画像信号を各データ線１２に順次供給し、オン状態のＴＦＴを介して、画素回路の画素電極に順次画像信号を書き込む。画素電極の電圧は、蓄積容量により、画像信号が書き込まれる期間よりも３桁も長い期間に亘って保持される。
【００２５】
また、素子基板の裏面には、図示しないバックライトが設けられる。このバックライトは、例えば、冷陰極蛍光管（ＣＣＦＬ）やＬＥＤ（発光ダイオード）で構成され、液晶パネルＡＡに光を照射する。
【００２６】
ここで、画像信号の電圧レベルを変化させることで、液晶の配向や秩序は印加電圧に応じて変化するため、各画素の光変調による階調表示が可能となる。例えば、液晶を通過する光量は、ノーマリーホワイトモードであれば、印加電圧が高くなるにつれて減少し、ノーマリーブラックモードであれば、印加電圧が高くなるにつれて増加する。したがって、液晶パネルＡＡにおいて、画像信号に応じたコントラストを有する光が各画素から射出されて、画像が表示される。
【００２７】
図２は、表示領域２２の拡大平面図である。
表示領域２２は、一組の画素２３が複数配列されて構成され、一組の画素２３は、それぞれ、画素回路６０に対応して、赤（Ｒ）、青（Ｂ）、緑（Ｇ）、およびシアン（Ｃ）の光透過特性が異なる４種類のカラーフィルタ２４Ｒ、２４Ｂ、２４Ｇ、２４Ｃを有する画素から構成される。具体的には、一組の画素２３には、それぞれ、これらカラーフィルタ２４Ｒ、２４Ｂ、２４Ｇ、２４Ｃを有する画素が図２中水平方向に並んで配置される。
【００２８】
ここで、４種類のカラーフィルタを第１フィルタ群６１と第２フィルタ群６２とに分ける。つまり、赤（Ｒ）および青（Ｂ）のカラーフィルタ２４Ｒ、２４Ｂを第１フィルタ群６１とし、緑（Ｇ）およびシアン（Ｃ）のカラーフィルタ２４Ｇ、２４Ｃを第２フィルタ群６２とする。すると、第１フィルタ群６１および第２フィルタ群６２は、図２中水平方向に交互に並んで配置される。また、第１フィルタ群６１および第２フィルタ群６２は、それぞれ図２中上下方向に直線状に並んで配置される。また、シアン（Ｃ）のカラーフィルタについては白（Ｗ）を配置してもよい。
【００２９】
また、各第１フィルタ群６１において、赤（Ｒ）および青（Ｂ）のカラーフィルタ２４Ｒ、２４Ｂは、図２中水平方向に並んで配置されている。具体的には、赤（Ｒ）のカラーフィルタ２４Ｒが左側に配置され、青（Ｂ）のカラーフィルタ２４Ｂが右側に配置される。また、カラーフィルタの配置については赤（Ｒ）と青（Ｂ）が逆に配置されても構わない。
【００３０】
また、各第２フィルタ群６２において、シアン（Ｃ）および緑（Ｇ）のカラーフィルタ２４Ｃ、２４Ｇは、図２中水平方向に並んで配置されている。具体的には、シアン（Ｃ）のカラーフィルタ２４Ｃが左側に配置され、緑（Ｇ）のカラーフィルタ２４Ｇが右側に配置される。また、カラーフィルタの配置についてはシアン（Ｃ）と緑（Ｇ）が逆に配置されても構わない。また、シアン（Ｃ）および緑（Ｇ）のカラーフィルタ２４Ｃ、２４Ｇの面積は、同一であり、第１フィルタ群を構成する赤（Ｒ）および青（Ｂ）のカラーフィルタ２４Ｒ、２４Ｂの面積より小さくなっている。
【００３１】
図３は、画素マトリクス１０の拡大平面図である。
データ線１２は、各一組の画素２３につき２本ずつ設けられる。具体的には、データ線１２は、第１フィルタ群６１を構成する赤（Ｒ）および青（Ｂ）のカラーフィルタ２４Ｒ、２４Ｂの間に配置される第１フィルタ用データ線１２１と、第２フィルタ群６２を構成するシアン（Ｃ）および緑（Ｇ）のカラーフィルタ２４Ｃ、２４Ｇの間に配置される第２フィルタ用データ線１２２とで構成される。
【００３２】
第１フィルタ用データ線１２１は、それぞれ、画素回路６０のうち第１フィルタ用データ線１２１の両側にあるものに画像信号を供給する。
第２フィルタ用データ線１２２は、それぞれ、画素回路６０のうち第２フィルタ用データ線１２２の両側にあるものに画像信号を供給する。
【００３３】
走査線１１は、各一組の画素２３につき２本ずつ設けられる。具体的には、走査線１１は、一組の画素２３の図３中上側に配置される走査線１１１と、一組の画素２３の図３中下側に配置される走査線１１２と、で構成される。すなわち、図３中上下方向に隣り合う第１フィルタ群同士の間、または、隣り合う第２フィルタ群同士の間には、走査線１１１、１１２が配置される。
【００３４】
走査線１１１は、それぞれ、画素回路６０のうち第１フィルタ用データ線１２１および第２フィルタ用データ線１２２の図３中左側にあるものに走査線駆動信号を供給する。すなわち、走査線１１１は、赤（Ｒ）およびシアン（Ｃ）のカラーフィルタに対応する画素回路６０に走査線駆動信号を供給する。
【００３５】
また、走査線１１２は、それぞれ、画素回路６０のうち第１フィルタ用データ線１２１および第２フィルタ用データ線１２２の図３中右側にあるものに走査線駆動信号を供給する。すなわち、走査線１１２は、青（Ｂ）および緑（Ｇ）のカラーフィルタに対応する画素回路６０に走査線駆動信号を供給する。
【００３６】
各画素回路６０は、ＴＦＴ１３と、画素電極１４と、対向基板に形成される対向電極１６と、これら両電極間に設けられた液晶１７と、図示しない蓄積容量と、を備える。
各画素回路６０において、ＴＦＴ１３のゲートには、走査線１１１または走査線１１２が接続され、ＴＦＴ１３のソースには、第１フィルタ用データ線１２１または第２フィルタ用データ線１２２が接続され、ＴＦＴ１３のドレインには、画素電極１４が接続されている。
【００３７】
具体的には、第１フィルタ群６１の図３中左側のカラーフィルタ、すなわち赤（Ｒ）のカラーフィルタ２４Ｒ、に対応する画素回路６０において、ＴＦＴ１３のゲートには、走査線１１１が接続され、ＴＦＴ１３のソースには、第１フィルタ用データ線１２１が接続される。
第１フィルタ群６１の図３中右側のカラーフィルタ、すなわち青（Ｂ）のカラーフィルタ２４Ｂ、に対応する画素回路６０において、ＴＦＴ１３のゲートには、走査線１１２が接続され、ＴＦＴ１３のソースには、第１フィルタ用データ線１２１が接続される。
【００３８】
第２フィルタ群６２の図３中左側のカラーフィルタ、すなわちシアン（Ｃ）のカラーフィルタ２４Ｃ、に対応する画素回路６０において、ＴＦＴ１３のゲートには、走査線１１１が接続され、ＴＦＴ１３のソースには、第２フィルタ用データ線１２２が接続される。
第２フィルタ群６２の図３中右側のカラーフィルタ、すなわち緑（Ｇ）のカラーフィルタ２４Ｇ、に対応する画素回路６０において、ＴＦＴ１３のゲートには、走査線１１２が接続され、ＴＦＴ１３のソースには、第２フィルタ用データ線１２２が接続される。
【００３９】
次に、各画素回路６０の動作について説明する。ここで、図４は、走査線１１に供給される走査線駆動信号のタイミングチャートである。
【００４０】
時刻ｔ１において、走査線駆動信号ＶＧ１がＨレベルになると、図３中上側に位置する赤（Ｒ）およびシアン（Ｃ）のカラーフィルタに対応する画素回路６０において、ＴＦＴ１３がオン状態となる。これに合わせて、第１フィルタ用データ線１２１および第２フィルタ用データ線１２２から画像信号が供給されて、これら画像信号が画素電極１４に書き込まれる。
時刻ｔ２において、走査線駆動信号ＶＧ１がＬレベルになると、図３中上側に位置する赤（Ｒ）およびシアン（Ｃ）のカラーフィルタに対応する画素回路６０において、ＴＦＴ１３がオフ状態となる。
その後、この画素電極１４の電圧は、ＴＦＴ１３がオフ状態となった後も、図示しない蓄積容量により、破線で示すように、次の画像信号が書き込まれるまで保持される。
【００４１】
時刻ｔ２において、走査線駆動信号ＶＧ２がＨレベルになると、図３中上側に位置する青（Ｂ）および緑（Ｇ）のカラーフィルタに対応する画素回路６０において、ＴＦＴ１３がオン状態となる。これに合わせて、第１フィルタ用データ線１２１および第２フィルタ用データ線１２２から画像信号が供給されて、これら画像信号が画素電極１４に書き込まれる。
時刻ｔ３において、走査線駆動信号ＶＧ２がＬレベルになると、図３中上側に位置する青（Ｂ）および緑（Ｇ）のカラーフィルタに対応する画素回路６０において、ＴＦＴ１３がオフ状態となる。
その後、この画素電極１４の電圧は、ＴＦＴ１３がオフ状態となった後も、図示しない蓄積容量により、破線で示すように、次の画像信号が書き込まれるまで保持される。
【００４２】
同様に、時刻ｔ３から時刻ｔ４の間、走査線駆動信号ＶＧ３がＨレベルになると、図３中下側に位置する赤（Ｒ）およびシアン（Ｃ）のカラーフィルタに対応する画素回路６０に画像信号が書き込まれる。
【００４３】
また、時刻ｔ４から時刻ｔ５の間、走査線駆動信号ＶＧ４がＨレベルになると、図３中下側に位置する青（Ｂ）および緑（Ｇ）のカラーフィルタに対応する画素回路６０に画像信号が書き込まれる。
【００４４】
したがって、一組の画素２３としては、まず、赤（Ｒ）およびシアン（Ｃ）に画像信号が書き込まれ、次いで、青（Ｂ）および緑（Ｇ）に画像信号が書き込まれる。
【００４５】
本実施形態によれば、以下のような効果がある。
（１）赤（Ｒ）、青（Ｂ）、シアン（Ｃ）、緑（Ｇ）の４種類のカラーフィルタ２４Ｒ、２４Ｂ、２４Ｃ、２４Ｇを、赤（Ｒ）および青（Ｂ）のカラーフィルタ２４Ｒ、２４Ｂからなる第１フィルタ群６１と、シアン（Ｃ）および緑（Ｇ）のカラーフィルタ２４Ｃ、２４Ｇからなり、第１フィルタ群６１より面積の小さい第２フィルタ群６２と、で構成し、第１フィルタ用データ線１２１を、第１フィルタ群６１を構成するカラーフィルタ２４Ｒ、２４Ｂの間に配置し、第２フィルタ用データ線１２２を、第２フィルタ群６２を構成するカラーフィルタ２４Ｃ、２４Ｇの間に配置した。つまり、第２フィルタ群６２のカラーフィルタ２４Ｃ、２４Ｇの面積を削減して、この削減した領域に第２フィルタ用データ線１２２を配置した。これにより、カラーフィルタの種類を増加して、色再現性を向上できるとともに、効率よくデータ線１２を配置できる。
【００４６】
（２）また、第１フィルタ用データ線１２１から、画素回路６０のうち第１フィルタ群６１に対応するものに画像信号を供給し、第２フィルタ用データ線１２２から、画素回路６０のうち第２フィルタ群６２に対応するものに画像信号を供給した。
したがって、１本のデータ線１２で２つの画素回路６０に画像信号を供給するので、従来のように１本のデータ線１２で１つの画素回路６０に画像信号を供給する場合に比べて、データ線１２の本数を削減できる。その結果、素子基板の実装の高密度化を防止できる。
【００４７】
（３）緑（Ｇ）およびシアン（Ｃ）のカラーフィルタ２４Ｇ、２４Ｃの面積を、赤（Ｒ）および青（Ｂ）のカラーフィルタ２４Ｒ、２４Ｂの面積より小さくした場合でも色再現性を向上させることができる。
【００４８】
（４）シアン（Ｃ）のカラーフィルタの代わりに白（Ｗ）のカラーフィルタを用いた場合には、画素における輝度を向上させることができる。
【００４９】
＜２．第２実施形態＞
図５は、本発明の第２実施形態に係る表示領域２２Ａの拡大平面図である。
本実施形態では、４種類のカラーフィルタ２４Ｒ、２４Ｂ、２４Ｃ、２４Ｇの配置が、第１実施形態と異なる。
【００５０】
すなわち、第１フィルタ群６１Ａは、第１実施形態と同様に、図５中上下方向に直線状に並んで配置されるが、本実施形態では、第１フィルタ群６１Ａとしては、赤（Ｒ）のカラーフィルタ２４Ｒが左側、青（Ｂ）のカラーフィルタ２４Ｂが右側に配置されるものと、赤（Ｒ）のカラーフィルタ２４Ｒが右側、青（Ｂ）のカラーフィルタ２４Ｂが左側に配置されるものとが、交互に並んで配置される。
また、第２フィルタ群６２Ａとしては、シアン（Ｃ）のカラーフィルタ２４Ｃが左側、緑（Ｇ）のカラーフィルタ２４Ｇが右側に配置されるものと、シアン（Ｃ）のカラーフィルタ２４Ｃが右側、緑（Ｇ）のカラーフィルタ２４Ｇが左側に配置されるものとが、交互に並んで配置される。
【００５１】
図６は、本発明の第２実施形態に係る画素マトリクス１０の拡大平面図である。
走査線１１１は、第１実施形態と同様に、それぞれ、画素回路６０のうち第１フィルタ用データ線１２１および第２フィルタ用データ線１２２の図６中左側にあるものに走査線駆動信号を供給する。本実施形態では、第１フィルタ群６１Ａとしては、赤（Ｒ）が左側、青（Ｂ）が右側に配置されるものと、赤（Ｒ）が右側、青（Ｂ）が左側に配置されるものとが、交互に並んで配置されるので、走査線１１１は、赤（Ｒ）およびシアン（Ｃ）のカラーフィルタに対応する画素回路６０に走査線駆動信号を供給するものと、青（Ｂ）および緑（Ｇ）のカラーフィルタに対応する画素回路６０に走査線駆動信号を供給するものとが、交互に配置されることになる。
【００５２】
また、走査線１１２は、第１実施形態と同様に、それぞれ、画素回路６０のうち第１フィルタ用データ線１２１および第２フィルタ用データ線１２２の図６中右側にあるものに走査線駆動信号を供給する。本実施形態では、第２フィルタ群６２Ａとしては、シアン（Ｃ）が左側、緑（Ｇ）が右側に配置されるものと、シアン（Ｃ）が右側、緑（Ｇ）が左側に配置されるものとが、交互に並んで配置されるので、走査線１１２は、青（Ｂ）および緑（Ｇ）のカラーフィルタに対応する画素回路６０に走査線駆動信号を供給するものと、赤（Ｒ）およびシアン（Ｃ）のカラーフィルタに対応する画素回路６０に走査線駆動信号を供給するものとが、交互に配置されることになる。
【００５３】
次に、各画素回路６０の動作について説明する。図７は、走査線１１に供給される走査線駆動信号のタイミングチャートである。
【００５４】
時刻ｔ６から時刻ｔ７の間、走査線駆動信号ＶＧ５がＨレベルになると、図６中上側に位置する赤（Ｒ）およびシアン（Ｃ）のカラーフィルタに対応する画素回路６０に画像信号が書き込まれる。
【００５５】
時刻ｔ７から時刻ｔ８の間、走査線駆動信号ＶＧ６がＨレベルになると、図６中上側に位置する青（Ｂ）および緑（Ｇ）のカラーフィルタに対応する画素回路６０に画像信号が書き込まれる。
【００５６】
時刻ｔ８から時刻ｔ９の間、走査線駆動信号ＶＧ７がＨレベルになると、図６中下側に位置する青（Ｂ）および緑（Ｇ）のカラーフィルタに対応する画素回路６０に画像信号が書き込まれる。
【００５７】
時刻ｔ９から時刻ｔ１０の間、走査線駆動信号ＶＧ８がＨレベルになると、図６中下側に位置する赤（Ｒ）およびシアン（Ｃ）のカラーフィルタに対応する画素回路６０に画像信号が書き込まれる。
【００５８】
したがって、一組の画素２３Ａとしては、まず、赤（Ｒ）およびシアン（Ｃ）に画像信号が書き込まれ、次いで、青（Ｂ）および緑（Ｇ）に画像信号が書き込まれるものと、まず、青（Ｂ）および緑（Ｇ）に画像信号が書き込まれ、次いで、赤（Ｒ）およびシアン（Ｃ）に画像信号が書き込まれるものとが、交互に配置される。
【００５９】
したがって、本実施形態によれば、上述した（１）〜（４）の効果に加え、以下のような効果がある。
（５）４種類のカラーフィルタ２４Ｒ、２４Ｂ、２４Ｇ、２４Ｃを、同種類のカラーフィルタが互いに隣り合わないように配置した。これによって、画素の色むらを目立ちにくくして表示ができる。
【００６０】
＜３．第３実施形態＞
図８は、本発明の第３実施形態に係る表示領域２２Ｂの拡大平面図である。
本実施形態では、４種類のカラーフィルタ２４Ｒ、２４Ｂ、２４Ｃ、２４Ｇの配置、走査線１１の構成、および、画素回路６０Ｂ、６０Ｃの構成が第１実施形態と異なる。
【００６１】
すなわち、第１フィルタ群６１Ｂは、第２実施形態と同様に、赤（Ｒ）のカラーフィルタ２４Ｒが左側、青（Ｂ）のカラーフィルタ２４Ｂが右側に配置されるものと、赤（Ｒ）のカラーフィルタ２４Ｒが右側、青（Ｂ）のカラーフィルタ２４Ｂが左側に配置されるものとが、交互に並んで配置される。
また、第２フィルタ群６２Ｂとしては、シアン（Ｃ）のカラーフィルタ２４Ｃが左側、緑（Ｇ）のカラーフィルタ２４Ｇが右側に配置されるものと、シアン（Ｃ）のカラーフィルタ２４Ｃが右側、緑（Ｇ）のカラーフィルタ２４Ｇが左側に配置されるものとが、交互に並んで配置される。
【００６２】
図９は、本発明の第３実施形態に係る画素マトリクス１０Ｂの拡大平面図である。
走査線１１は、各一組の画素２３Ｂにつき１本ずつ設けられる。すなわち、図９中上下方向に隣り合う第１フィルタ群同士の間、または、隣り合う第２フィルタ群同士の間には、走査線１１が配置される。
【００６３】
走査線１１は、それぞれ、当該走査線１１の図９中上側、かつ、第１フィルタ用データ線１２１および第２フィルタ用データ線１２２の図９中左側にある画素回路６０Ｂに、走査線駆動信号を供給する。また、これら走査線１１は、それぞれ、当該走査線１１の図９中下側にある画素回路６０Ｂ、６０Ｃに、走査線駆動信号を供給する。
【００６４】
各画素回路６０Ｂ、６０Ｃは、それぞれ、２つのＴＦＴ１３１、１３２と、画素電極１４と、対向基板に形成される対向電極１６と、これら両電極間に設けられた液晶１７と、図示しない蓄積容量と、を備える。
【００６５】
各画素回路６０Ｂにおいて、ＴＦＴ１３１のゲートには、当該画素回路６０Ｂの図９中上側にある走査線１１が接続され、ソースには、第１フィルタ用データ線１２１または第２フィルタ用データ線１２２が接続され、ドレインには、ＴＦＴ１３２のソースが接続される。
ＴＦＴ１３２のゲートには、当該画素回路６０Ｂの図９中下側にある走査線１１が接続され、ドレインには、画素電極１４が接続されている。
【００６６】
また、各画素回路６０Ｃにおいて、ＴＦＴ１３１のゲートには、当該画素回路６０Ｂの図９中上側にある走査線１１が接続され、ソースには、第１フィルタ用データ線１２１または第２フィルタ用データ線１２２が接続され、ドレインには、ＴＦＴ１３２のソースが接続される。
ＴＦＴ１３２のゲートには、当該画素回路６０Ｃの図９中上側にある走査線１１が接続され、ドレインには、画素電極１４が接続されている。
【００６７】
具体的には、第１フィルタ群６１Ｂの図９中左側のカラーフィルタ、すなわち赤（Ｒ）および青（Ｂ）のカラーフィルタ２４Ｒ、２４Ｂ、に対応する画素回路６０Ｂにおいて、ＴＦＴ１３１のソースには、第１フィルタ用データ線１２１が接続される。
第１フィルタ群６１Ｂの図９中右側のカラーフィルタ、すなわち青（Ｂ）および赤（Ｒ）のカラーフィルタ２４Ｂ、２４Ｒ、に対応する画素回路６０Ｃにおいて、ＴＦＴ１３１のソースには、第１フィルタ用データ線１２１が接続される。
【００６８】
第２フィルタ群６２Ｂの図９中左側のカラーフィルタ、すなわちシアン（Ｃ）および緑（Ｇ）のカラーフィルタ２４Ｃ、２４Ｇ、に対応する画素回路６０Ｂにおいて、ＴＦＴ１３１のソースには、第２フィルタ用データ線１２２が接続される。
第２フィルタ群６２Ｂの図９中右側のカラーフィルタ、すなわち緑（Ｇ）およびシアン（Ｃ）のカラーフィルタ２４Ｇ、２４Ｃ、に対応する画素回路６０Ｃにおいて、ＴＦＴ１３１のソースには、第２フィルタ用データ線１２２が接続される。
【００６９】
図１０は、走査線１１に供給される走査線駆動信号のタイミングチャートである。なお、図４および図７と異なり、データ線１２から供給される画像信号は、図示されていない。
【００７０】
時刻ｔ１１において、走査線駆動信号ＶＧ９、ＶＧ１０がＨレベルになると、図９中上側の全ての画素回路６０Ｂ、６０Ｃにおいて、ＴＦＴ１３１、１３２がオン状態となる。これに合わせて、第１フィルタ用データ線１２１および第２フィルタ用データ線１２２から画像信号が供給されて、これら画像信号が図９中上側の画素回路６０Ｂ、６０Ｃの画素電極１４に書き込まれる。
【００７１】
時刻ｔ１２において、走査線駆動信号ＶＧ９はＨレベルのままで、走査線駆動信号ＶＧ１０のみがＬレベルになると、図９中上側の画素回路６０Ｃにおいて、ＴＦＴ１３２はオン状態のままであるが、図９中上側の画素回路６０Ｂにおいて、ＴＦＴ１３２がオフ状態となる。
【００７２】
したがって、画素回路６０Ｂにおいては、その後、この画素電極１４の電圧は、図示しない蓄積容量により、次の画像信号が書き込まれるまで保持される。
一方、画素回路６０Ｃにおいては、第１フィルタ用データ線１２１および第２フィルタ用データ線１２２から画像信号が供給されて、これら画像信号が画素回路６０Ｃの画素電極１４に書き込まれ、時刻ｔ１１からｔ１２にかけて既に書き込まれた画像信号が書き換えられる。
【００７３】
時刻ｔ１３において、走査線駆動信号ＶＧ９がＬレベルになると、図９中上側に位置する画素回路６０Ｃにおいて、ＴＦＴ１３１、１３２がオフ状態となる。その後、画素回路６０Ｃにおいては、この画素電極１４の電圧は、図示しない蓄積容量により、次の画像信号が書き込まれるまで保持される。
【００７４】
同様に、時刻ｔ１３から時刻ｔ１４の間、走査線駆動信号ＶＧ１０、ＶＧ１１がＨレベルになると、図９中下側の全ての画素回路６０Ｂ、６０Ｃに画像信号が書き込まれる。
【００７５】
また、時刻ｔ１４から時刻ｔ１５の間、走査線駆動信号ＶＧ１０はＨレベルのままで、走査線駆動信号ＶＧ１１のみがＬレベルになると、図９中下側の画素回路６０Ｃに、再度、画像信号が書き込まれる。
【００７６】
したがって、一組の画素２３Ｂとしては、まず、赤（Ｒ）、緑（Ｇ）、青（Ｂ）およびシアン（Ｃ）の全てに画像信号が書き込まれ、次いで、青（Ｂ）および緑（Ｇ）に画像信号が書き込まれるものと、まず、赤（Ｒ）、緑（Ｇ）、青（Ｂ）およびシアン（Ｃ）の全てに画像信号が書き込まれ、次いで、赤（Ｒ）およびシアン（Ｃ）に画像信号が書き込まれるものとが、交互に配置される。
【００７７】
したがって、本実施形態によれば、上述した（１）〜（５）の効果に加え、以下のような効果がある。
（６）走査線１１を、各一組の画素２３Ｂにつき１本ずつ設けた。また、走査線駆動信号を、各走査線１１によって、当該走査線１１の図９中上側にある画素回路６０Ｂと、当該走査線１１の図９中下側にある画素回路６０Ｂ、６０Ｃとに、供給した。これによって、第１実施形態および第２実施形態よりも走査線１１の本数を減らせる。その結果、素子基板の実装の高密度化をより効果的に防止できる。
【００７８】
＜４．第４実施形態＞
本実施形態では、４種類のカラーフィルタ２４Ｒ、２４Ｂ、２４Ｃ、２４Ｇの色が第１実施形態と異なる。先に述べた実施形態においては、赤（Ｒ）、緑（Ｇ）、青（Ｂ）及びシアン（Ｃ）のカラーフィルタ及び画像信号を用いていたが、本実施形態では、以下に示すような４つの色のカラーフィルタ及び画像信号を用いても良い。
【００７９】
着色領域は４色の着色領域で１画素を構成する。４色の着色領域は、波長に応じて色相が変化する可視光領域（３８０−７８０ｎｍ）のうち、青系の色相の着色領域、赤系の色相の着色領域と、青から黄までの色相の中で選択された２種の色相の着色領域からなる。ここで系と用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【００８０】
図示しないが、先に説明した図２、３、５、６、８及び９における赤（Ｒ）、青（Ｂ）、緑（Ｇ）及びシアン（Ｃ）をそれぞれ、赤系の色相の着色領域（Ｒ）、青系の色相の着色領域（Ｂ）及び青から黄までの色相の中で選択された２種の色相の着色領域（Ｇ及びＣ）に適用しても良い。
【００８１】
具体的な色相の範囲は、青系の色相の着色領域は、青紫から青緑であり、より好ましくは藍から青である。赤系の色相の着色領域は、橙から赤である。青から黄までの色相で選択される一方の着色領域は、青から緑であり、より好ましくは青緑から緑である。青から黄までの色相で選択される他方の着色領域は、緑から橙であり、より好ましくは緑から黄である。もしくは緑から黄緑である。
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
これにより、従来のRGBの着色領域よりも広範囲の色再現性を実現することができる。
【００８２】
広範囲の色再現性を色相で述べたが、以下に、着色領域を透過する波長で表現する。
青系の着色領域は、波長のピークが４１５−５００ｎｍにある着色領域、好ましくは、４３５−４８５ｎｍにある着色領域である。
赤系の着色領域は、波長のピークが６００ｎｍ以上にある着色領域で、好ましくは、６０５ｎｍ以上にある着色領域である。
青から黄までの色相で選択される一方の着色領域は、波長のピークが４８５−５３５ｎｍにある着色領域で、好ましくは、４９５−５２０ｎｍにある着色領域である。
青から黄までの色相で選択される他方の着色領域は、波長のピークが５００−５９０ｎｍにある着色領域、好ましくは５１０−５８５ｎｍにある着色領域、もしくは５３０−５６５ｎｍにある着色領域である。
【００８３】
次に、ｘ、ｙ色度図で表現する。
青系の着色領域は、ｘ≦0.151、ｙ≦0.056にある着色領域であり、好ましくは、0.134≦ｘ≦0.151、0.034≦ｙ≦0.056にある着色領域である。
赤系の着色領域は、0.643≦ｘ、ｙ≦0.333にある着色領域であり、好ましくは、0.643≦ｘ≦0.690、0.299≦ｙ≦0.333にある着色領域である。
青から黄までの色相で選択される一方の着色領域は、ｘ≦0.164、0.453≦ｙにある着色領域であり、好ましくは、0.098≦ｘ≦0.164、0.453≦ｙ≦0.759にある着色領域である。
青から黄までの色相で選択される他方の着色領域は、0.257≦ｘ、0.606≦ｙにある着色領域であり、好ましくは、0.257≦ｘ≦0.357、0.606≦ｙ≦0.670にある着色領域である。
これら４色の着色領域は、サブ画素に透過領域と反射領域を備えた場合、透過領域及び反射領域も上述した範囲で適用することができるものである。
【００８４】
上記４色の着色領域の構成の例として、以下のものがあげられる。
色相が、赤、青、緑、シアン（青緑）の着色領域。
色相が、赤、青、緑、黄の着色領域。
色相が、赤、青、深緑、黄の着色領域。
色相が、赤、青、エメラルド、黄の着色領域。
色相が、赤、青、深緑、黄緑の着色領域。
色相が、赤、青緑、深緑、黄緑の着色領域。
【００８５】
＜応用例＞
次に、上述した実施形態に係る電気光学装置１を適用した電子機器について説明する。
図１１は、電気光学装置１を適用した携帯電話機の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【００８６】
なお、電気光学装置１が適用される電子機器としては、図１１に示すものの他、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器などが挙げられる。そして、これらの各種電子機器の表示部として、前述した電気光学装置が適用可能である。
【図面の簡単な説明】
【００８７】
【図１】本発明の第１実施形態に係る電気光学装置の構成を示すブロック図である。
【図２】前記電気光学装置の表示領域の拡大平面図である。
【図３】前記電気光学装置の画素マトリクスの拡大平面図である。
【図４】前記電気光学装置における画素回路の動作を説明するためのタイミングチャートである。
【図５】本発明の第２実施形態に係る電気光学装置の表示領域の拡大平面図である。
【図６】前記電気光学装置の画素マトリクスの拡大平面図である。
【図７】前記電気光学装置における画素回路の動作を説明するためのタイミングチャートである。
【図８】本発明の第３実施形態に係る電気光学装置の表示領域の拡大平面図である。
【図９】前記電気光学装置の画素マトリクスの拡大平面図である。
【図１０】前記電気光学装置における画素回路の動作を説明するためのタイミングチャートである。
【図１１】上述した電気光学装置を適用した携帯電話機の構成を示す斜視図である。
【符号の説明】
【００８８】
１…電気光学装置、ＡＡ…液晶パネル、１０、１０Ｂ…画素マトリクス、１１、１１１、１１２…走査線、１２…データ線、１２１…第１フィルタ用データ線、１２２…第２フィルタ用データ線、１７…液晶、２２、２２Ａ、２２Ｂ…表示領域、２３、２３Ａ、２３Ｂ…一組の画素、２４Ｒ、２４Ｂ、２４Ｇ、２４Ｃ…カラーフィルタ、６０、６０Ｂ、６０Ｃ…画素回路、６１、６１Ａ、６１Ｂ…第１フィルタ群、６２、６２Ａ、６２Ｂ…第２フィルタ群、３０００…携帯電話。
【図１】
2007017928.tif 000003
【図２】
2007017928.tif 000004
【図３】
2007017928.tif 000005
【図４】
2007017928.tif 000006
【図５】
2007017928.tif 000007
【図６】
2007017928.tif 000008
【図７】
2007017928.tif 000009
【図８】
2007017928.tif 000010
【図９】
2007017928.tif 000011
【図１０】
2007017928.tif 000012
【図１１】
2007017928.tif 000013